(57)【要約】【課題】モルフォ蝶の羽に似た意匠性を有するシートでありながら、引き延ばしてもその意匠性が維持されるシートを提供すること。【解決手段】基材１１の表面に、特定の波長帯の光の広がり効果を誘起する凹凸構造とこの波長帯の光の回折を誘起する凹凸構造とを重畳して構成される複合凹凸構造を有し、さらにこの複合凹凸構造の上に透明反射膜１２を有するテープを、縦又は横に使用して織って織物シートＡを構成する。前記テープ１０，２０はモルフォ蝶の羽に似た意匠性を有しており、このテープを、縦又は横に使用して織ってシートを構成しているため、このシートを引き延ばしてもその意匠性が維持される。【選択図】図１
2020012932.tif 000002
【特許請求の範囲】
【請求項１】
縦テープ及び横テープを織って構成した織物シートを有する加飾シートであって、
前記縦テープ及び横テープが、いずれも、基材の表面に、特定の波長帯の光の広がり効果を誘起する凹凸構造とこの波長帯の光の回折を誘起する凹凸構造とを重畳して構成される複合凹凸構造を有し、さらにこの複合凹凸構造の上に透明反射膜を有するものであり、
光の広がり効果を誘起する前記凹凸構造が、第１方向における幅が前記波長帯の最小波長以下であり、前記第１方向と直交する第２方向における長さが前記第１方向の幅よりも長く、かつ、前記第２方向における長さにばらつきのある矩形を前記第１方向及び前記第２方向に配列して構成される平面形状の凸部を有する凹凸構造であり、
回折を誘起する前記凹凸構造が、前記第１方向において、前記波長帯の最小波長の１／２以上のピッチであって、且つ、一定ではないピッチで配列され、前記第２方向に延びる複数の凸条からなる凹凸構造であり、
縦テープの前記第２方向と横テープの前記第２方向とが互いに交差していることを特徴とする加飾シート。
【請求項２】
前記透明反射膜が、互いに異なる屈折率を持つ材料を交互に積層して構成された透明多層反射膜であることを特徴とする請求項１に記載の加飾シート。
【請求項３】
前記織物シートの片面又は両面に被覆層が積層されて構成された加飾シートであって、
前記被覆層が気体不透過性かつ熱可塑性であることを特徴とする請求項１又は２に記載の加飾シート。
【請求項４】
表面に接着剤層が積層されていることを特徴とする請求項３に記載の加飾シート。
【発明の詳細な説明】
【技術分野】
【０００１】
本発明は、モルフォ蝶の羽に似た美麗な意匠性を有する加飾シートに関する。
【背景技術】
【０００２】
周知のように、モルフォ蝶の羽は美麗な色彩と強い光沢とを有し、観察する角度によってその色彩が緩やかに変化する。
【０００３】
このようなモルフォ蝶の羽に似た意匠性を有するシートとしては、特許文献１に記載のシートが知られている。このシートは、基材表面に、二種類の凹凸構造を重畳して形成し、その凹凸表面に透明多層反射膜を設けたものである。二種類の前記凹凸構造のうち一方の凹凸構造は光の広がり効果を誘起する機能を果たし、他方の凹凸構造は光の回折を誘起する機能を果たす。回折によって波長分散された光が広がって出射されるため、モルフォ蝶の羽に似て、観察する角度によってその色彩が緩やかに変化し、しかも、透明多層反射膜による高い光沢を示すのである。
【先行技術文献】
【特許文献】
【０００４】
【特許文献１】特許第６１７６２９０号公報
【発明の概要】
【発明が解決しようとする課題】
【０００５】
ところで、特許文献１に記載の前記シートは、観察する角度を変えると色彩や明るさが変化するものの、特定の角度から観察した場合にはその全面が一様な色彩と明るさに観察されて、変化に乏しいものとならざるを得なかった。
【０００６】
そこで、本発明は、モルフォ蝶の羽に似た意匠性を有するシートでありながら、特定の角度から観察した場合にも、シートの部位に応じて色彩と明るさが異なって観察され、このため、この見え方の違いによって模様が観察できるシートを提供することを目的とする。
【課題を解決するための手段】
【０００７】
すなわち、請求項１に記載の発明は、縦テープ及び横テープを織って構成した織物シートを有する加飾シートであって、
前記縦テープ及び横テープが、いずれも、基材の表面に、特定の波長帯の光の広がり効果を誘起する凹凸構造とこの波長帯の光の回折を誘起する凹凸構造とを重畳して構成される複合凹凸構造を有し、さらにこの複合凹凸構造の上に透明反射膜を有するものであり、
光の広がり効果を誘起する前記凹凸構造が、第１方向における幅が前記波長帯の最小波長以下であり、前記第１方向と直交する第２方向における長さが前記第１方向の幅よりも長く、かつ、前記第２方向における長さにばらつきのある矩形を前記第１方向及び前記第２方向に配列して構成される平面形状の凸部を有する凹凸構造であり、
回折を誘起する前記凹凸構造が、前記第１方向において、前記波長帯の最小波長の１／２以上のピッチであって、且つ、一定ではないピッチで配列され、前記第２方向に延びる複数の凸条からなる凹凸構造であり、
縦テープの前記第２方向と横テープの前記第２方向とが互いに交差していることを特徴とする加飾シートである。
【０００８】
次に、請求項２に記載の発明は、前記透明反射膜が、互いに異なる屈折率を持つ材料を
交互に積層して構成された透明多層反射膜であることを特徴とする請求項１に記載の加飾シートである。
【０００９】
次に、請求項３に記載の発明は、前記織物シートの片面又は両面に被覆層が積層されて構成された加飾シートであって、
前記被覆層が気体不透過性かつ熱可塑性であることを特徴とする請求項１又は２に記載の加飾シートである。
【００１０】
次に、請求項４に記載の発明は、表面に接着剤層が積層されていることを特徴とする請求項３に記載の加飾シートである。
【発明の効果】
【００１１】
本発明の加飾シートは、基材の表面に、特定の波長帯の光の広がり効果を誘起する凹凸構造とこの波長帯の光の回折を誘起する凹凸構造とで構成される複合凹凸構造を有し、しかも、その上に透明反射膜を有するテープを縦テープ及び横テープの両者に使用して織った織物シートを有するため、モルフォ蝶の羽に似た意匠性を有する。
【００１２】
光の広がり効果を誘起する前記凹凸構造と光の回折を誘起する前記凹凸構造とは、いずれも、第１方向における幅よりもこれに直交する第２方向における長さが長く構成されており、しかも、縦テープの前記第２方向と横テープの前記第２方向とが互いに交差しているため、特定の角度から観察した場合にも、縦テープが露出した部位と横テープとでは異なる色彩や明るさに見える。このため、この加飾シートは、この見え方の違いによって模様が観察できるのである。
【００１３】
なお、この織物シートを引き延ばした場合にも、テープとテープとの間の間隙が広がるに過ぎず、テープ自体は引き延ばされない。このため、前記複合凹凸構造はそのままの状態で維持され、その意匠性も維持される。
【００１４】
そして、このため、請求項３に記載のように、この織物シートに気体不透過性かつ熱可塑性の被覆層を積層して加飾シートとすれば、この加飾シートをその一方から真空吸引した場合にも、織物シートから気体が漏れることがなく、このため、例えば、この加飾シートを金型側から真空吸引すると共に加熱することにより、この金型表面に沿った三次元形状に成形することができ、しかも、前記テープのモルフォ蝶に似た美麗な意匠性も維持されるのである。
【００１５】
真空成形に代えて、圧空成形あるいは真空圧空成形等の場合も同様である。また、成形と同時に被装飾体表面に接着するＴＯＭ成形や、加飾シートを金型に収容した後、この金型中に樹脂を射出して成形することにより、樹脂の射出成形と同時に加飾シートを成形し、かつ、その成形品表面に接着するインサート成形でも同様である。
【図面の簡単な説明】
【００１６】
【図１】図１は本発明の具体例に係るテープの具体例の要部断面図である。
【図２】図２は本発明の具体例に係り、図２（ａ−１）はテープの特定の波長帯の光の広がり効果を誘起する凹凸構造の説明用平面図、図２（ａ−２）は図１（ａ−１）のα１−α１線における説明用断面図、図２（ｂ−１）はテープの光の回折を誘起する凹凸構造の説明用平面図、図２（ｂ−２）は図２（ｂ−１）のα２−α２線における説明用断面図である。
【図３】図３は本発明の具体例に係り、図３（ａ）はテープの複合凹凸構造の説明用平面図、図３（ｂ）は図３（ａ）のα３−α３線における説明用断面図である。
【図４】図４は本発明の第１の具体例に係り、図４（ａ）は織物シートを構成する縦テープの説明図、図４（ｂ）は横テープの説明図、図４（ｃ）及び図４（ｄ）はそれぞれ織物シートの説明図である。
【図５】図５は本発明の第２の具体例に係り、図５（ａ）は織物シートを構成する縦テープの説明図、図５（ｂ）は端部が接続された横テープの説明図、図５（ｃ）は織物シートの説明図である。
【図６】図６は本発明の第３の具体例の説明用断面図である。
【発明を実施するための形態】
【００１７】
本発明の加飾シートは、特定の縦テープ及び横テープを織って構成した織物シートを有するものである。この織物シート単体で加飾シートを構成してもよいし、この織物シートに被覆層や接着剤層を積層して加飾シートとしてもよい。
【００１８】
以下、具体例により本発明を説明する。説明にあたって、その便宜上、まず、テープについて説明する。縦テープ及び横テープを構成するテープは、いずれも、モルフォ蝶の羽に似た意匠性を有するテープである。
【００１９】
モルフォ蝶の羽に似た意匠性を有するシートについては、特許第６１７６２９０号公報に詳しく説明されているが、図１に示すように、このシートは、２種類の凹凸構造を重畳して構成される複合凹凸構造を基材１１の表面に有し、さらにこの複合凹凸構造の上に透明反射膜１２を有するものである。この透明反射膜１２としては、互いに異なる屈折率を持つ材料を交互に積層して構成され、特定波長域の光を選択的に反射する透明多層反射膜を使用することが望ましい。
【００２０】
ところで、２種類の前記凹凸構造のうち、一方の凹凸構造は特定の波長帯の光の広がり効果を誘起する凹凸構造である。また、他方の凹凸構造はこの波長帯の光の回折を誘起する凹凸構造である。これら両凹凸構造について、図２を参照して説明する。図２（ａ−１）は特定の波長帯の光の広がり効果を誘起する凹凸構造の説明用平面図、図２（ａ−２）は図２（ａ−１）のα１−α１線における説明用断面図である。また、図２（ｂ−１）は光の回折を誘起する凹凸構造の説明用平面図、図２（ｂ−２）は図２（ｂ−１）のα２−α２線における説明用断面図である。
【００２１】
まず、特定の波長帯の光の広がり効果を誘起する凹凸構造は、その凸部１１ｘが矩形を配列した形状をしている。この矩形は、いずれも、その短辺が第１方向（図示Ｘ方向）に延在しており、長辺は第１方向と直交する第２方向（図示Ｙ方向）に延在している。この矩形は、Ｘ方向に互いに接していてもよく、また、一部が重なっていてもよい。いずれにしても、その矩形の短辺の長さ、すなわち、矩形のＸ方向の幅１１ｘｄは前記波長帯の最小波長以下である必要がある。例えば、広がり効果を誘起する光が青色の場合には、矩形の幅１１ｘｄは３００ｎｍ程度である。また、矩形の長辺の長さ１１ｘｈにはばらつきがあり、その標準偏差、すなわち、矩形のＹ方向の長さ１１ｘｈの標準偏差は、前記幅１１ｘｄの標準偏差の標準偏差より大きいことが望ましい。なお、この凸部１１ｘの高さ１１ｘｈは１０ｎｍ〜２００ｎｍの範囲にあることが好ましい。広がり効果を誘起する光が青色の場合には、凸部１１ｘの高さ１１ｘｈは４０〜１５０ｎｍ程度が好ましい。
【００２２】
一方、前記波長帯の光の回折を誘起する凹凸構造は、前記第２方向（図示Ｙ方向）に延びる複数の凸条１１ｙを有しており、この凸条１１ｙと凸条１１ｙとの間を凹部としている。凸条１１ｙのＸ方向の幅１１ｙｄは、光の広がり効果を誘起する凹凸構造の前記矩形状凸部１１ｘの幅１１ｘｄ等しくても良いし、異なっていても良い。そして、この凸条１１ｙの前記第１方向（図示Ｘ方向）におけるピッチは、前記波長帯に含まれる光の最小波長の１／２以上であって、しかも、一定ではないピッチである必要がある。例えば、ピッチの平均値を１〜５μｍ程度とし、標準偏差を１μｍ程度とすることができる。凸条１１ｙの高さ１１ｙｈは光の広がり効果を誘起する凹凸構造の前記矩形状凸部１１ｘの高さ１１ｘｈと同程度でよい。
【００２３】
次に、図３は、光の広がり効果を誘起する凹凸構造と光の回折を誘起する凹凸構造とを重畳して構成された複合凹凸構造を示すもので、図３（ａ）は複合凹凸構造の説明用平面図、図３（ｂ）は図３（ａ）のα３−α３線における説明用断面図である。
【００２４】
すなわち、光の広がり効果を誘起する凹凸構造のうち、凸部１１ｘが存在して凸条１１ｙが存在しない部位では、この凸部１１ｘの高さ１１ｘｈと同じ高さの凸部が存在する。図３（ａ）及び（ｂ）では、便宜上、符号１１ｘでこの部位を示している。
【００２５】
一方、凸条１１ｙが存在して凸部１１ｘが存在しない部位では、凸条１１ｙの高さ１１ｙｈと同じ高さの凸部が存在する。図３（ａ）及び（ｂ）では、便宜上、符号１１ｙでこの部位を示している。
【００２６】
また、凸部１１ｘと凸条１１ｙの両者が存在する部位では、この凸部１１ｘと凸条１１ｙとが重なり合って、凸部１１ｘの高さ１１ｘｈと凸条１１ｙの高さ１１ｙｈとを加えた高さの凸部が存在する。図３（ａ）及び（ｂ）では、便宜上、符号１１ｘｙでこの部位を示している。
【００２７】
次に、この複合凹凸構造の上に配置する透明反射膜１２について説明する。前述のように、透明反射膜１２としては、互いに異なる屈折率を持つ材料を交互に積層して構成され特定波長域の光を選択的に反射する透明多層反射膜を好ましく利用することができる。高屈折率の材料としては二酸化チタン（ＴｉＯ２）が使用できる。また、低屈折率の材料としては二酸化珪素（ＳｉＯ２）を使用できる。これらは、例えば、スパッタリング法、原子層堆積法、真空蒸着法等の方法で複合凹凸構造の上に積層することが可能である。透明多層反射膜を構成する層の数は、例えば、高屈折率層と低屈折率層の数をそれぞれ５層とすればよい。
【００２８】
織物シートＡは、このような構造を有するテープを、織物の経糸（縦糸）と緯糸（横糸）の代わりに、縦テープ及び横テープとして使用して織ったものである。このような織物シートＡの例を図面の図４に示す。図４（ａ）は織物シートＡを構成する縦テープ１０の説明図、図４（ｂ）は横テープ２０の説明図、図４（ｃ）及び図２（ｄ）はそれぞれ織物シートＡ１，Ａ２の説明図で、図４（ｃ）は平織の織物シートＡ１、図４（ｄ）は斜紋織の織物シートＡ２を示している。
【００２９】
縦テープ１０及び横テープ２０は、いずれも、前述の構造を有するものである。そして、織物シートＡを構成したとき、縦テープ１０の前記第２方向Ｙと横テープ２０の前記第２方向Ｙとが互いに交差している必要がある。図示の例では、縦テープ１０と横テープ２０のいずれにおいても、その長手方向を前記第２方向Ｙとしている。このような縦テープ１０と横テープ２０とを使用して織ったとき、縦テープ１０の第２方向Ｙと横テープ２０の第２方向Ｙとが互いに直交している織物シートＡが得られる。
【００３０】
これら縦テープ１０と横テープ２０は、定法に従って織ることができる。図４（ｃ）は、これら縦テープ１０と横テープ２０とを平織して製造した織物シートＡ１を示している。すなわち、縦テープ１０を織物の経糸（縦糸）の代わりに使用し、横テープ２０を緯糸（横糸）の代わりに使用して、平織した織物シートである。
【００３１】
このため、この織物シートＡ１は次のようなこの構造を有している。すなわち、図示左上から下方向（縦方向）に向かって説明すると、まず左上の位置では、縦テープ１０ａが
横テープ２０ａの上に重ねられており、このため、この織物シートＡ１を表側から観察すると、縦テープ１０ａを観察することができる。次に、この下に位置する部位では、横テープ２０ｂが縦テープ１０ａの上に重ねられており、織物シートＡ１の表側には横テープ２０ｂが露出している。そして、その次に位置する部位（上から３番目の部位）では、縦テープ１０ａが横テープ２０ｃの上に重ねられており、表側には縦テープ１０ａが露出している。このように、平織の織物シートでは、縦テープ１０と横テープ２０ｃとが、下方向（縦方向）に交互に露出している。左上から下方向（縦方向）に向かってこれら両テープ１０，２０が重ねられた部位に番号を付けると、奇数番号の部位で表側には縦テープ１０が露出しており、偶数番号の部位で表側には横テープ２０が露出している。
【００３２】
なお、この平織の織物シートＡ１では、図示右方向（横方向）でも同様である。すなわち、縦テープ１０と横テープ２０ｃとが、右方向（横方向）に交互に露出しており、左上から右方向（横方向）に向かってこれら両テープ１０，２０が重ねられた部位に番号を付けると、奇数番号の部位で表側には縦テープ１０が露出しており、偶数番号の部位で表側には横テープ２０が露出している。
【００３３】
そして、特定の角度からこの織物シートＡ１を表側から観察したとき、縦テープ１０が露出した部位と、横テープ２０露出した部位とでは、互いに異なる色彩や明るさに見える。このように見え方が異なるため、平織のこの織物シートは格子柄の模様が観察できるのである。なお、観察する角度を変化させると、その色彩や明るさが緩やかに変化するが、同様に格子柄の模様が観察できる。すなわち、観察する角度を変化させるにより、格子柄の模様を維持したまま、その格子柄の色彩や明るさが緩やかに変化するのである。
【００３４】
次に、図４（ｄ）は、縦テープ１０と横テープ２０を斜紋織して製造した織物シートＡ２を示している。すなわち、縦テープ１０を織物の経糸（縦糸）の代わりに使用し、横テープ２０を緯糸（横糸）の代わりに使用して、斜紋織した織物シートである。
【００３５】
この織物シートＡ２は次のようなこの構造を有している。すなわち、図示左上から下方向（縦方向）に向かって説明すると、まず左上の位置では、縦テープ１０ａが横テープ２０ａの上に重ねられており、このため、この織物シートＡを表側から観察すると、縦テープ１０ａを観察することができる。次に、この下に位置する部位でも、縦テープ１０ａが横テープ２０ｂの上に重ねられており、表側には縦テープ１０ａが露出している。その次に位置する部位（上から３番目の部位）では、横テープ２０ｃが縦テープ１０ａの上に重ねられており、織物シートＡの表側には横テープ２０ｃが露出している。そして、次の部位（上から４番目の部位）では、縦テープ１０ａが横テープ２０ｄの上に重ねられており、表側には縦テープ１０ａが露出している。このように、左上から下方向（縦方向）に向かってこれら両テープ１０，２０が重ねられた部位に番号を付けると、番号が３の倍数となる位置で横テープ２０が表側に露出しており、その他の部位では、縦テープ１０ａが表側に露出している。
【００３６】
また、図示左上から右方向（横方向）に向かってこれら両テープ１０，２０が重ねられた部位に番号を付けると、番号が３の倍数に１を加えた数（例えば、１，４，７，‥となる位置で、縦テープ１０ａが表側に露出しており、その他の部位では、横テープ２０が表側に露出している。
【００３７】
この斜紋織の織物シートでも、これを特定の角度から観察したとき、縦テープ１０が露出した部位と、横テープ２０露出した部位とでは、互いに異なる色彩や明るさに見える。このため、斜紋織のこの織物シートでも、模様が観察できる。
【００３８】
なお、これら両テープ１０，２０のうち一方のテープは、その端部で他のテープと接続
したものであってもよい。図５（ｂ）は、両端部で多数の横テープ２０ａ，２０ｂ，‥が接続したものの例を示している。すなわち、長方形状のシートに多数の平行なスリット２０ｘを設けたもので、図示左右の両端にはスリット２０ｘが到達していない。そして、このスリット２０ｘとスリット２０ｘとで挟まれた部分を横テープ２０ａ，２０ｂ，‥として、織物シートを構成することができる。図５（ｃ）は、このようにスリット２０ｘとスリット２０ｘとで挟まれた部分を横テープ２０ａ，２０ｂ，‥とし、縦テープ１０ａとして織った織物シートＡ３の例を示すもので、この図から分かるように、その中央で平織の織物を構成している。この織物シートＡ３を特定の角度から観察したとき模様が観察できることは前述の例と同様である。
【００３９】
これら織物シートＡのみで加飾シート１００を構成することもできるが、前述のように、これら織物シートＡに被覆層Ｂを積層して加飾シート１００としてもよい。図６はこのように織物シートＡに被覆層Ｂを積層して構成した加飾シート１００の例を示している。なお、この加飾シート１００は、織物シートＡと被覆層Ｂに加えて、表面に接着剤層Ｃを積層したものである。
【００４０】
被覆層Ｂは、例えば、この加飾シートに、真空成形、圧空成形あるいは真空圧空成形（ＴＯＭ成形）等の絞り成形加工を施す際に、織物シートの織目から気体が漏れることを防止して、その絞り成形加工を可能とするものである。このため、この被覆層Ｂは、気体を透過しない気体不透過性を有すると共に、絞り成形時の熱によって軟化し、三次元形状に変形可能な熱可塑性を有する必要がある。
【００４１】
このような被覆層Ｂとしては、各種プラスチックフィルムが例示できる。例えば、ポリエチレンフィルム、ポリプロピレンフィルム等のポリオレフィン系フィルムである。また、ポリエステルフィルムやポリアミドフィルムであってもよい。
【００４２】
また、織物シートＡ上に熱可塑性樹脂を塗布して、その塗布皮膜を被覆層Ｂとしてもよい。例えば、非結晶性ポリエステル樹脂である。
【００４３】
また、接着剤層Ｃは加飾シート１００を接着する際に使用するもので、周知の接着剤や粘着剤で構成することができる。そして、このように加飾シート１００の表面に接着剤層Ｃが設けられている場合には、ＴＯＭ成形を利用して、被装飾体表面に沿って加飾シート１００を成形すると同時に接着することが可能である。すなわち、密閉されたチャンバー内に被装飾体を配置し、チャンバー内部を上下に二分するように被装飾体の上方に加飾シート１００を張る。そして、この加飾シート１００で二分されたチャンバー内部の全体を真空吸引した後、加飾シート１００の上方のみに空気を吹き込むと共に加飾シート１００を加熱軟化させることにより、被装飾体表面に沿って加飾シート１００を成形すると同時に接着するのである。
【００４４】
また、このように加飾シート１００の表面に接着剤層Ｃが設けられている場合には、この加飾シート１００を金型に収容した後、この金型中に樹脂を射出して成形することにより、樹脂の射出成形と同時に加飾シート１００を成形し、かつ、その成形品表面に接着することも可能である。
【００４５】
また、接着剤層Ｃは被覆層Ｂの表面に積層してもよいが、図６に示すように織物シートＡの表面に積層することが望ましい。接着剤層Ｃを織物シートＡの表面に積層して、この加飾シート１００をＴＯＭ成形して被装飾体表面に接着した場合、あるいは樹脂の射出成形と同時に加飾シート１００を成形し接着した場合には、被覆層Ｂが織物シートＡを覆うことになり、織物シートＡを汚れや磨耗等から保護することができる。
【００４６】
以上説明したように、この加飾シートは、モルフォ蝶の羽に似た意匠性を有し、しかも、特定の角度から観察した場合にも、模様が観察できる。
【００４７】
また、この加飾シートは、これを引き延ばしてもその意匠性を維持することができる。このため、これを織物シートに気体不透過性かつ熱可塑性の被覆層を積層して加飾シートとすれば、真空成形、圧空成形あるいは真空圧空成形等の絞り成形に供したときにも、モルフォ蝶の羽に似たその意匠性を維持することが可能である。もちろん、絞り成形と同時に被装飾体表面に接着した場合でも同様である。そして、このため、三次元曲面を有する被装飾体の表面に適用して、その表面をモルフォ蝶の羽に似た意匠に加飾することが可能となる。このような被装飾体としては、例えば、二輪車のカウル全体や部分、カウルのフード、ハンドルカバー、ミラー部の外側等を例示できる。また、自動車、電車車両、あるいはモビリティの内装や外装を加飾することも可能である。
【符号の説明】
【００４８】
Ａ：織物シート
Ｂ：被覆層
Ｃ：接着剤層
１０：縦テープ
１１：基材
１１ｘ：特定の波長帯の光の広がり効果を誘起する凹凸構造の凸部
１１ｙ：特定の波長帯の光の回折を誘起する凹凸構造の凸条
Ｘ：第１方向
Ｙ：第２方向
１２：透明反射膜
１００：加飾シート
【図１】
2020012932.tif 000003
【図２】
2020012932.tif 000004
【図３】
2020012932.tif 000005
【図４】
2020012932.tif 000006
【図５】
2020012932.tif 000007
【図６】
2020012932.tif 000008